(57)【特許請求の範囲】
【請求項１】
上面に化粧料収容凹部が形成された容器本体と、上記容器本体の上面を蓋する蓋体と、上面に化粧具等の収容凹部が形成され上記容器本体と蓋体との間に配設される中皿を備え、上記容器本体の前壁面に上面開放状の凹部を形成し、この凹部の奥面に係合部を設け、上記蓋体の裏面の前端部から上記係合部に係合する被係合部を下方に向かって延ばし、この被係合部の前面を奥に向かって下り傾斜の下向きテーパ面に形成し、上記蓋体の後壁にヒンジ連結部を突設し、このヒンジ連結部に対応する上記容器本体の後壁の上面部分を切欠いて切欠き部に形成し、この切欠き部に上記ヒンジ連結部をヒンジ軸を介して回動自在に取付け、上記中皿の後壁から取付部を奥側に延ばし、この取付部の側面にガイドピンを取付け、上記取付部に対応する上記ヒンジ連結部の側面の部分に、上記ヒンジ連結部の前面から延びるようにして、上記取付部が前後方向に摺動しうる第１のガイド溝を設け、上記ガイドピンに対応する上記切欠き部の側面の部分に下向きコ字状の突片を突設し、この突片の下向きコ字状の内部空間を、上記ガイドピンを前後方向に摺動可能で回転可能に収容する第２のガイド溝に形成し、上記中皿の前壁に、上記蓋体の被係合部が内部を通過しうる枠体を突設し、上記枠体の上面を上記被係合部の前面に当接させたことを特徴とするコンパクト。
【発明の詳細な説明】
【０００１】
【発明の属する技術分野】
この発明は、前面を押すことにより自動的に開蓋することのできるコンパクトに関するものである。
【０００２】
【従来の技術】
従来から、化粧料とパフ等の化粧具とを一緒に収容できるようにしたコンパクトとして、図２１に示すものがある。このコンパクトは、上面に化粧料収容凹部３１ａが形成された容器本体３１と、この容器本体３１の上面を蓋する蓋体３２と、上面にパフ４１等の収容凹部３３ａが形成された中皿３３を備えており、容器本体３１の後端部３１ｂに設けたヒンジ軸３４に蓋体３２の後端部３２ａをヒンジ連結するとともに、このヒンジ軸３４に中皿３３の後端部３３ｂをヒンジ連結して構成している。また、容器本体３１の前壁面に上面開放状の凹部３５を形成し、この凹部３５の奥面に係合部３６を突設するとともに、上記凹部３５の左右両側面に設けたヒンジ軸３８ａに押ボタン３８をヒンジ連結している。一方、蓋体３２の裏面の前端部に上記係合部３６に係合する係合爪３７を垂下させている。そして、開蓋時には、上記押ボタン３８を親指等で奥側に押して回動させることにより、押ボタン３８の下端部で係合爪３７を押し上げて上記係合部３６と係合爪３７との係合を外し、ついで、親指等を押ボタン３８から離して蓋体３２に移し変えたのち、この蓋体３２を後方に大きく回動させることが行われる。図において、３９は化粧料４０が収容された化粧皿である。
【０００３】
【発明が解決しようとする課題】
しかしながら、上記コンパクトでは、押ボタン３８が容器本体３１，蓋体３２と別体に作製されているため、部品点数が多く、在庫管理等の管理面が煩雑になる。しかも、押ボタン３８を容器本体３１の凹部３５に組付ける作業が必要になる。さらに、開蓋時には押ボタン３８を親指等で押して上記係合を外したのち、親指等を押ボタン３８から離して蓋体３２に移し変えなければならず、この親指等の移し変えが煩わしいうえ、この開蓋動作で中皿３３を一緒に持ち上げることができない。さらに、押ボタン３８を奥側に向かって押す際に、大きな力を水平方向にかけてしまうことがよくあり、この場合には、上記水平方向の大きな力がヒンジ軸３８ａに作用し、このヒンジ軸３８ａが早期に破損したり、がた付いたりして、耐久性に劣る。
【０００４】
この発明は、このような事情に鑑みなされたもので、在庫管理等の管理面が簡単で、しかも作業工程を少なくすることができ、さらに１連の開蓋動作で蓋体を中皿とともに開けることができ、そのうえ耐久性に優れたコンパクトの提供をその目的とする。
【０００５】
【課題を解決するための手段】
上記目的を達成するため、この発明のコンパクトは、上面に化粧料収容凹部が形成された容器本体と、上記容器本体の上面を蓋する蓋体と、上面に化粧具等の収容凹部が形成され上記容器本体と蓋体との間に配設される中皿を備え、上記容器本体の前壁面に上面開放状の凹部を形成し、この凹部の奥面に係合部を設け、上記蓋体の裏面の前端部から上記係合部に係合する被係合部を下方に向かって延ばし、この被係合部の前面を奥に向かって下り傾斜の下向きテーパ面に形成し、上記蓋体の後壁にヒンジ連結部を突設し、このヒンジ連結部に対応する上記容器本体の後壁の上面部分を切欠いて切欠き部に形成し、この切欠き部に上記ヒンジ連結部をヒンジ軸を介して回動自在に取付け、上記中皿の後壁から取付部を奥側に延ばし、この取付部の側面にガイドピンを取付け、上記取付部に対応する上記ヒンジ連結部の側面の部分に、上記ヒンジ連結部の前面から延びるようにして、上記取付部が前後方向に摺動しうる第１のガイド溝を設け、上記ガイドピンに対応する上記切欠き部の側面の部分に下向きコ字状の突片を突設し、この突片の下向きコ字状の内部空間を、上記ガイドピンを前後方向に摺動可能で回転可能に収容する第２のガイド溝に形成し、上記中皿の前壁に、上記蓋体の被係合部が内部を通過しうる枠体を突設し、上記枠体の上面を上記被係合部の前面に当接させたという構成をとる。
【０００６】
【発明の実施の形態】
すなわち、この発明のコンパクトは、容器本体の前壁面に形成された上面開放状凹部の奥面に係合部を設け、蓋体の裏面の前端部から下方に向かって延ばした（上記係合部に係合する）被係合部の前面を奥に向かって下り傾斜の下向きテーパ面に形成している。また、中皿の後壁から取付部を奥側に延ばし、この取付部の側面にガイドピンを取付け、上記取付部に対応する上記蓋体の後壁のヒンジ連結部の前面部分に、上記取付部が前後方向に摺動しうる第１のガイド溝を設け、上記ガイドピンに対応する上記容器本体の後壁の切欠き部の側面部分に、上記ガイドピンを前後方向に摺動可能で回転可能に収容する第２のガイド溝を設けている。また、上記中皿の前壁に突設した（上記被係合部が内部を通過しうる）枠体の上面を上記被係合部の前面に当接させている。そして、開蓋時には、まず中皿の枠体を親指等で奥側に押す。これにより、中皿が奥側に移動し（中皿の取付部が上記ヒンジ連結部の前面の第２のガイド溝に沿って奥側に移動し、上記取付部のガイドピンが上記切欠き部の側面の第１のガイド溝に沿って移動し）、この移動に伴って蓋体の被係合部の前面（下り傾斜の下向きテーパ面）が中皿の枠体の上面で持ち上げられて上昇し、この上昇により蓋体が持ち上げられて容器本体の係合部と蓋体の被係合部との係合が外れる。ついで、そのまま上記枠体を親指等で押しながら中皿を持ち上げるようにして後方に大きく回動させることが行われる。これにより、蓋体も中皿と一緒に持ち上げられるようにして後方に回動し、蓋体および中皿が大きく開けられる。このように、この発明のコンパクトでは、中皿の前壁に突設された枠体が、従来例における押ボタン３８と同様に作用し、この枠体が中皿に一体形成されているため、部品点数が少なくなり、在庫管理等の管理面が簡単になる。しかも、従来例のような押ボタン３８を容器本体の組付ける作業を省略することができる。さらに、開蓋時には、枠体を親指等で少し押し込んだのち押し上げていくだけで、蓋体をも一緒に大きく持ち上げていくことができる。そのうえ、枠体を親指等で押す際に、この押す力がヒンジ軸には全く作用せず、長期間にわたってヒンジ軸が破損したり、がた付いたりすることがなく、耐久性が大幅に向上する。
【０００７】
つぎに、この発明の実施の形態を図面にもとづいて説明する。
【０００８】
図１はこの発明の一実施の形態を示すコンパクトの縦断面図であり、図２は要部の横断面図である。このコンパクトは、図３に示すように、容器本体１と蓋体２と中皿３とからなる。上記容器本体１には、図４〜図６に示すように、その上面に中央凹部４が形成されており、この中央凹部４には、その後部に段部４ａが形成されている。そして、この段部４ａの内側に、化粧料１０が収容された化粧料収容皿１１が収容されるとともに、上記段部４ａの上面に後述の中皿３の後壁下面が摺動自在に載置される。また、上記容器本体１には、その前壁１ａの前面に上面開放状の前側凹部５が形成されている。この前側凹部５は、その前端縁が湾曲状に切欠かれているとともに、その奥壁５ａの上端部に係合用突条６が突設されている。また、上記奥壁５ａには、その左右両側部に所定幅（後述の中皿３の枠体２１の左右両側壁２１ａが摺動しうる幅）の隙間５ｂが形成されている。一方、容器本体１の後壁１ｂは、その中央部が切欠き形成されており、この切欠き部８の左右両側面の上端部に、相対向する状態で、左右一対の下向きコ字状の突片７が突設されている。そして、これら両突片７の下向きコ字状の内部空間が、図７および図８に示すように、後述の中皿３のガイドピン２３が前後方向に摺動可能で、かつ回転可能な幅を有する溝状に形成されているとともに、下向きコ字状の前後両側の角部７ａが円弧状に形成されており、これにより、上記内部空間が第１のガイド溝７ｂに形成されている。図において、１２はヒンジ軸９（図１参照）を挿通し固定しうるヒンジ軸挿通穴であり、上記切欠き部８の左右両側面に相対向する状態で穿設されている。
【０００９】
上記蓋体２は伏椀形状に形成されており、図９〜図１２に示すように、その前壁２ａの中央部から係合爪１３が垂下しているとともに、この係合爪１３の下端部に、上記容器本体１の前側凹部５の係合用突条６に着脱自在に係合する係合用突条１４が突設されている。また、この係合爪１３は、その前面１３ａが、奥に向かって下り傾斜の下向きテーパ面に形成されている。一方、上記蓋体２には、その後壁２ｂの中央部からヒンジ連結部１５が垂下しており、この連結部１５の左右両側面に、後述の中皿３の取付部２２が前後方向に摺動可能な第２のガイド溝１６が形成されている（図２参照）。また、上記ヒンジ連結部１５における、上記容器本体１のヒンジ軸挿通穴１２に対応する部分に、ヒンジ軸９を挿通し固定しうるヒンジ軸挿通穴１５ａが穿設されている。図において、１７は鏡である。
【００１０】
上記中皿３には、図１３〜図１７に示すように、上面にパフ１８を収容するためのパフ収容凹部１９が形成されているとともに、その外周面に鍔部２０が周設されている。この鍔部２０は、その前壁の中央部が、上記蓋体２の係合爪１３が通過しうる幅に切欠き形成されており、この前側切欠き部２０ａの下面に、平板をコ字状に折り曲げた枠体２１が一体的に突設されている。この枠体２１は、上記前側切欠き部２０ａの左右両側面に沿って前方に延び上記容器本体１の前側凹部５の奥壁５ａの左右両隙間５ｂを通る左右両側壁２１ａと、上記前側凹部５の前部に配設され左右両側部が両左右両側壁２１ａの先端部に一体的に連結する前壁２１ｂとからなる。一方、上記鍔部２０は、その後壁の中央部が切欠き形成されており、この後側切欠き部２０ｂの左右両側部に左右一対の取付部２２が突設されている。この両取付部２２は、上面（もしくは後面）が傾斜面となる直角三角形状体に形成されており、この後端部の外面にガイドピン２３が突設されている。そして、上記両取付部２２は、前述したように、上記蓋体２の第２のガイド溝１６に摺動可能に収容されており、両ガイドピン２３は、前述したように、容器本体１の両突片７の第１のガイド溝７ｂに摺動および回転可能に収容されている（図２参照）。
【００１１】
このようなコンパクトを閉蓋する場合には、図１８に示すように、まず、容器本体１の後壁１ｂの後側に中皿３を配置し、この中皿３の両ガイドピン２３を容器本体１の両突片７の第１のガイド溝７ｂに収容するようにして、中皿３を容器本体１に載置する。ついで、容器本体１の後壁１ｂの後側に蓋体２を配置し、この蓋体２のヒンジ連結部１５の両第２のガイド溝１６に中皿３の両取付部２２を収容するようにして、蓋体２のヒンジ軸挿通穴１５ａを容器本体１のヒンジ軸挿通穴１２に位置決めする。つぎに、両ヒンジ軸挿通穴１２，１５ａにヒンジ軸９（図示せず）を挿通し、固定する。そののち、図１９に示すように、蓋体２を押し下げて回動させることが行われる。これにより、上記蓋体２の係合爪１３が中皿３の枠体２１の内部を通過し、係合爪１３の係合用突条１４が容器本体１の前側凹部５の係合用突条６に係合する。また、開蓋する場合には、図２０に示すように、まず中皿３の枠体２１の前壁２１ｂを奥側に押す。これにより、枠体２１の前壁２１ｂの上面に沿って蓋体２の係合爪１３の前面１３ａ（下り傾斜の下向きテーパ面）が摺動しながら上昇し、この上昇に伴って蓋体２が持ち上げられ、その結果、両係合用突条６，１４の係合が外れる。ついで、そのまま上記枠体２１の前壁２１ｂを親指等で押し上げながら中皿３を持ち上げるようにして後方に大きく回動させることが行われる。これにより、蓋体２も中皿３と一緒に持ち上げられるようにして後方に回動し、蓋体２および中皿３が大きく開けられる。
【００１２】
このように、このコンパクトは、容器本体１と蓋体２と中皿３からなり、従来例における押ボタン３８が省略されている。このため、部品点数が少なく、在庫管理等の管理面が簡単になるうえ、組付け作業が軽減される。しかも、開蓋時には、枠体２１の前壁２１ｂを親指等で奥側に押したのち押し上げるだけで、中皿３を蓋体２と一緒に持ち上げることができる。さらに枠体２１を親指等で押す際に、この押す力がヒンジ軸９に全く作用せず、耐久性が大幅に向上する。
【００１３】
【発明の効果】
以上のように、この発明のコンパクトによれば、中皿の前壁に突設された枠体が、従来例における押ボタン３８と同様に作用し、この枠体が中皿に一体形成されているため、部品点数が少なくなり、在庫管理等の管理面が簡単になる。しかも、従来例のような押ボタン３８を容器本体の組付ける作業を省略することができる。さらに、開蓋時には、枠体を親指等で少し押し込んだのち押し上げていくだけで、蓋体をも一緒に持ち上げていくことができる。そのうえ、枠体を親指等で押す際に、この押す力がヒンジ軸には全く作用せず、長期間にわたってヒンジ軸が破損したり、がた付いたりすることがなく、耐久性が大幅に向上する。
【図面の簡単な説明】
【図１】この発明の一実施の形態を示すコンパクトの拡大縦断面図である。
【図２】上記コンパクトの要部横断面図である。
【図３】上記コンパクトを構成する容器本体，蓋体および中皿の斜視図である。
【図４】上記容器本体の平面図である。
【図５】上記容器本体を下から見た図である。
【図６】上記容器本体の正面図である。
【図７】上記容器本体の縦断面図である。
【図８】上記容器本体の要部の拡大縦断面図である。
【図９】上記蓋体を下から見た図である。
【図１０】上記蓋体の側面図である。
【図１１】上記蓋体の正面図である。
【図１２】上記蓋体の縦断面図である。
【図１３】上記中皿の平面図である。
【図１４】上記中皿の側面図である。
【図１５】上記中皿を下から見た図である。
【図１６】上記中皿の正面図である。
【図１７】上記中皿の縦断面図である。
【図１８】上記コンパクトの作用を示す要部の拡大縦断面図である。
【図１９】上記コンパクトの作用を示す拡大縦断面図である。
【図２０】上記コンパクトの作用を示す拡大縦断面図である。
【図２１】従来例を示す縦断面図である。
【符号の説明】
１  容器本体
２  蓋体
３  中皿
５  前側凹部
５ａ  前壁
６  係合用突条
７ｂ  第１のガイド溝
８  切欠き部
９  ヒンジ軸
１３  係合爪
１４  係合用突条
１５  ヒンジ連結部
１６  第２のガイド溝
２１  枠体
２２  取付部
２３  ガイドピン
【図１】
0003744573.tif 000002
【図２】
0003744573.tif 000003
【図３】
0003744573.tif 000004
【図４】
0003744573.tif 000005
【図５】
0003744573.tif 000006
【図６】
0003744573.tif 000007
【図７】
0003744573.tif 000008
【図８】
0003744573.tif 000009
【図９】
0003744573.tif 000010
【図１０】
0003744573.tif 000011
【図１１】
0003744573.tif 000012
【図１２】
0003744573.tif 000013
【図１３】
0003744573.tif 000014
【図１４】
0003744573.tif 000015
【図１５】
0003744573.tif 000016
【図１６】
0003744573.tif 000017
【図１７】
0003744573.tif 000018
【図１８】
0003744573.tif 000019
【図１９】
0003744573.tif 000020
【図２０】
0003744573.tif 000021
【図２１】
0003744573.tif 000022